(57)【要約】【課題】組み立てが容易で、かつ堅牢な手摺りを提供する。【解決手段】手摺り１を、複数の手摺り部材２、２に分割し、手摺り部材２の一端には、挿入穴２２１を、他端には挿入穴２２１に挿入される挿入部２３２を設け、挿入穴２２１の外周面には、テーパー雄ネジ部２４を形成する。テーパー雄ネジ部２４には、スリット２４１を形成し、挿入穴２２１を内側に蕾められる構成とし、外側に螺合する締着ナット３２のテーパー雌ネジ部３２１によって、挿入部２３２は外側から締め付けられる。このように締着ナット３２で締着固定される接続部分は、接合部材３の本体３１によって隠され、あたかも一本の部材で手摺り１が構成されているように組み立てられる。【選択図】図１
2020002546.tif 000002
【特許請求の範囲】
【請求項１】
各端部を突き合わせて手摺りを構成する複数の棒状手摺り部材と、
各手摺り部材の端部の突合せ部分に設けられた接合部材と、
各突き合わされる一方の端部は、端面から軸方向に形成された挿入穴と、先端へ向けて径が漸減するテーパ雄ネジ部と、テーパー雄ネジ部に軸方向に沿って形成されたスリットとを有し、
各突き合わされる他方の端部は、端面から軸方向に突出した挿入部を有し、
前記接合部材は、突き合わされる手摺り部材の各端部がそれぞれ内側に挿入される接続穴を両端面に、前記両端接続穴の間において、前記テーパー雄ネジに螺合されるテーパー雌ネジ部を軸方向に向けて有しており、
前記挿入穴に前記挿入部を挿入した状態で、前記接合部材を螺合させることによって、前記挿入部を前記テーパー雄ネジ部で締め付け固定することを特徴とする手摺り。
【請求項２】
両端に位置する手摺り部材の端部には、建造物の壁面に取り付けられる板状の取り付け部が設けられている請求項１に記載の手摺り。
【請求項３】
前記接合部材の接続穴の深さは、１対の手摺り部材の突合せ位置を十分に覆う程度の長さに設定されている請求項１又は２に記載の手摺り。
【請求項４】
前記接合部材は、テーパー雌ネジ部を有するボルトと、
該ボルトを内側に収容し、両端に前記接続穴を有する本体とを有する請求項１〜３のいずれか１に記載の手摺り。
【請求項５】
前記接合部材の本体は弾性材料からなり、
前記接続穴の開口部の内径は、接続される手摺り部材の外径と同じ径又は若干小さく形成されている請求項４に記載の手摺り。
【発明の詳細な説明】
【技術分野】
【０００１】
この発明は、手摺りにかかり、詳しくは手摺り材の接続構造に特徴を有する手摺りに関するものである。
【背景技術】
【０００２】
従来、高齢者住宅などにおいて、高齢者の歩行を補助するために、廊下、階段、風呂場等の壁に、手摺りが取り付けられている。この手摺りは、設置場所に応じて、適宜長さが決められて取り付けられる。
【０００３】
このような手摺りの構造は、壁面にネジ等で固定される取付部材と、該取付部材の間に架設される棒状の手摺り部材とから構成されている。そして、壁面等に手摺りを取り付ける場合には、手摺りの取り付け位置において、手摺り部材の両端が位置する場所に取付部材を固定し、該取付部材に、手摺り部材の両端を固定する。手摺り部材は、あらかじめ取付位置における両端の取付部材の間隔に合わせた長さに切断する必要がある。
【先行技術文献】
【特許文献】
【０００４】
【特許文献１】実用新案登録第３１５７５６５号
【発明の概要】
【発明が解決しようとする課題】
【０００５】
従来、手摺り取付部材の間に架設する際に、あらかじめ手摺り部材の長さを、手摺り取付部材の間隔に合わせてある必要がある。例えば、長尺の手摺り部材を一対の取付部材の間の距離に合わせた長さに切断する作業が必要となる。このような作業は、手摺りを取り付ける現場で行われることが多いので、作業現場まで長尺の手摺り部材を運搬する必要があり、手間がかかるとともに、正確な採寸と、切断加工が必要であった。
【０００６】
また、上記特許文献１に記載の考案では、手摺り部材が分割されており、かつネジで手摺り部材の端部を相互に連結できる構成となっているので、長尺の手摺り部材を分解すれば、運送の手間も軽減されるといった利点を有る。そして、雄ねじ部３のねじ込み具合を調整することで、手摺りの全長を微調整することができるので、切断加工を精密にする必要もないとった利点も有する。しかし、ねじ込み具合を微調整すると、ねじ接続部分に隙間が生じ、この隙間部分にごみ等が溜まり込み、雑菌が繁殖する恐れがあるといった欠点があった。さらに全長の微調整の為に、ねじ込み具合を緩める方向に調整すると、ねじ接続部の強度が低下するといった問題もあった。また、長さ調整のためにねじ込み具合を調整すると、軸線を中心とする回転位置が変わるので、接合される手摺り単位部材間の相対回転位置が変化し、手摺りの外表面に施された模様や凹凸に周方向のズレが生じるといった欠点があった。
【０００７】
この発明は、組み立てが容易で、かつ堅牢な手摺りを提供することを目的とするものである。
【課題を解決するための手段】
【０００８】
以上のような問題を解決する本発明は、以下の構成を有する。
（１）各端部を突き合わせて手摺りを構成する複数の棒状手摺り部材と、
各手摺り部材の端部の突合せ部分に設けられた接合部材と、
各突き合わされる一方の端部は、端面から軸方向に形成された挿入穴と、先端へ向けて径が漸減するテーパ雄ネジ部と、テーパー雄ネジ部に軸方向に沿って形成されたスリットとを有し、
各突き合わされる他方の端部は、端面から軸方向に突出した挿入部を有し、
前記接合部材は、突き合わされる手摺り部材の各端部がそれぞれ内側に挿入される接続穴を両端面に、前記両端接続穴の間において、前記テーパー雄ネジに螺合されるテーパー雌ネジ部を軸方向に向けて有しており、
前記挿入穴に前記挿入部を挿入した状態で、前記接合部材を螺合させることによって、前記挿入部を前記テーパー雄ネジ部で締め付け固定することを特徴とする手摺り。
【０００９】
（２）両端に位置する手摺り部材の端部には、建造物に取り付けられる板状の取り付け部が設けられている上記（１）に記載の手摺り。
【００１０】
（３）前記接合部材の接続穴の深さは、１対の手摺り部材の突合せ位置を十分に覆う程度の長さに設定されている上記（１）又は（２）に記載の手摺り。
【００１１】
（４）前記接合部材は、テーパー雌ネジ部を有するボルトと、
該ボルトを内側に収容し、両端に前記接続穴を有する本体とを有する上記（１）〜（３）のいずれか１に記載の手摺り。
【００１２】
（５）前記接合部材の本体は弾性材料からなり、
前記接続穴の開口部の内径は、接続される手摺り部材の外径と同じ径又は若干小さく形成されている上記（４）に記載の手摺り。
【発明の効果】
【００１３】
請求項１に記載の本発明によれば、接合部材を回転させることによって、テーパー雌ネジ部がテーパー雄ネジ部を内側に縮径させて、挿入部を締め付けることとなり、手摺り部材間の接続を強固にできる。また、挿入部と挿入穴との嵌め込み長さを微調整できるので、手摺りの長さ調整を容易にできる。
請求項２に記載の本発明によれば、端部の手摺り部材には、取り付け部を設けることで、手摺りを建造物に固定することが容易となる。
【００１４】
請求項３に記載の本発明によれば、接合部材の接続穴の深さは、手摺り部材の突合せ位置を十分に覆う程度の長さに設定されているので、手摺り部材の突合せ部分の隙間を接合部材で隠すことができ、手摺りの美観を維持し、隙間にゴミなどが溜まることを抑制できる。
請求項４に記載の本発明によれば、接合部材は、テーパー雌ネジ部を有するボルトと、該ボルトを内側に収容する筒状の軟質材料とから構成されているので、ボルトによって確実にテーパー雄ネジ部を締め付けることができる。また、ボルトから両端へ向けて延設されている本体によって、突き合わされる手摺り部材の端部を覆い隠すことができる。
【００１５】
請求項５に記載の本発明によれば、接合部材の本体の両端開口部の内径は、接続穴に挿入される手摺り部材の外径よりも、若干小さく形成されているので、両端開口部は、若干外側に押し開かれた状態で手摺り部材端部と接合されることなり、接続穴と手摺り部材とを密着した状態とすることができる。これにより、手摺り部材と接合部材との間への、ゴミ等の侵入を抑制することができる。
【図面の簡単な説明】
【００１６】
【図１】本発明の手摺りの部分側面断面図である。
【図２】本発明の手摺りの部分分解側面図である。
【図３】本発明の手摺りの接合部付近の部分拡大断面側面図である。
【図４】本発明の手摺りの全体斜視図である。
【図５】本発明の手摺りの他の構成例を示す部分断面側面図である。
【図６】本発明の接合部材を構成するナットの全体正面図である。
【図７】本発明の手摺りの他の構成を示す全体斜視図である。
【図８】本発明の手摺りの他の構成におけるＡ-Ａ断面図である。
【発明を実施するための形態】
【００１７】
以下本発明の実施形態の手摺り１について、添付図面に基づいて詳細に説明する。図１は、手摺り１の部分側面断面図、図２は、同じく分解側面図である。手摺り１は、複数の手摺り部材２と、接合部材３とを有している。手摺り部材２は、円形断面形状の手摺り本体部２１と、手摺り本体部２１の一端に設けられたテーパー雄ネジ部と、同じく他端に設けられた挿入部２３２とを有している。手摺り本体部２１は、断面形状が円形又は楕円形状であり、内側が空洞の筒状又は空洞のない中実丸棒であっても良い。材質としては、繊維強化樹脂で形成されていてもよく、或いは、内側に金属性の中空丸棒とし、その外側に樹脂層を被覆した二重構造であってもよい。
【００１８】
このような手摺り本体部２１の一端面には、補強部材２２が嵌入されている。そして、補強部材２２の先端面には、挿入穴２２１が軸方向に形成されている。挿入穴２２１の開口部の外周面には、先端へ向けて径が漸減するテーパー雄ネジ部２４が形成されている。このテーパー雄ネジ部２４には、外周面から挿入穴２２１の内壁に達し、かつ軸方向に形成されたスリット２４１が形成されており、周方向に等間隔で複数個（図示の例では３個）配置されている。テーパー雄ネジ部２４には、接合部材３のテーパー雌ネジ部３２１が螺合し、このテーパー雌ネジ部３２１を有する締着ナット３２を先端から基端へ向けて回転移動させることにより、テーパー雄ネジ部２４に形成されたスリット２４１の間隔をつぼませて、挿入穴２２１の内径を縮径させる構造となっている。
【００１９】
手摺り本体部２１の他端面には、挿入部材２３が嵌入されている。挿入部材２３は、手摺り本体部２１の他端部に嵌入固定される円筒状の基端嵌入部２３１と、基端嵌入部２３１の先端に形成され、手摺り本体部２１の他端面から軸方向に突出した挿入部２３２とを有している。挿入部２３２は筒状に形成され、外径は、挿入穴２２１の内径と同一である。手摺り部材２の他端に突出する挿入部２３２は、隣接する手摺り部材２の一端に形成された挿入穴２２１に対して、挿脱自在となるように構成されており、挿入穴２２１と挿入部２３２とは、軸方向及び軸を中心に相互に回動自在に接続される。挿入穴２２１と挿入部２３２とが嵌合された状態で、締着ナット３２を締め込むことによって、挿入穴２２１の内径が縮径して挿入部２３２を外側から締め込み、端部で突き合わされた２つの手摺り部材２の接合が強固に固定される。
【００２０】
図３に示されているように、接合部材３は、筒状の本体３１と、既述の締着ナット３２とを有している。本体３１は、天然ゴム、シリコーンゴム、？      、？      等の弾性材料で構成されている。本体３１の内側には、手摺り部材２の外径と略同じ内径の接続部３１１ａ、３１１ｂが両端部に設けられ、略中央部に締着ナット３２が収容されるナット収容部３１２が設けられている。両端の接続部３１１ａ、３１１ｂと、その間に設けられたナット収容部３２は、軸線上に配置されており、ナット収容部３１２は、接続部ａ、３１１ｂの内周面よりも外周方向に凹んだ溝として形成されており、内周面は、収容する締着ナット３２が外周形状に合致した多角形状に形成されている。この実施形態では、締着ナット３２が、正八角形であるので、同じ大きさの正八角形に形成されており、ナット収容部３１２に締着ナット３２が嵌め込まれる。これにより、締着ナット３２と本体３１とが、軸線を中心として一体回動できる構成となっている。なお、本体３１は、弾性材料で構成されているので、滑りにくく、本体３１を握って接合部材３を回転させることが容易となる。
【００２１】
各接続部３１１ａ、３１１ｂの軸方向の長さＳ２は、締着ナット３２で締め付け固定した際に、締着ナット３２の挿入部２３２側端面からテーパー雄ネジ部２４、４２の先端までの距離よりも十分長くなるように構成されおり、テーパー雄ネジ部２４、４２の先端と、手摺り本体部２１の挿入部２３２側端面との間に形成される隙間２６の幅Ｗよりも大きくなるように構成されている。隙間２６の幅Ｗは、組み立て状況に応じて、手摺り１の全長を調整するために、適宜調整されるので、長さＳ２は、幅Ｗの伸縮を包括できるような長さに設定されている。
【００２２】
以上のような長さに設定することで、接続部材３は、テーパー雄ネジ部２４、４２の先端と、手摺り本体部２１の挿入部２３２側端面との間に、全長の長さ調整によって形成される隙間２６を覆い隠せる構成となり、手摺り１の全体の外観を損なうことがなく、また、突き合わせ部分の隙間２６にゴミなどが滞留するといった不都合も抑制される。
接続部３１１ａ、３１１ｂの端部内径ｌ１は、手摺り本体部２１の外径ｌ２よりも若干小さく構成されており、接続部３１１内に手摺り本体部２１を挿入した状態では、本体３１の端部が若干外側に弾性変形して拡大される構成としてもよい。このような構成とすることによって、接合部材３の端部が接合させている手摺り部材２の外周面に密着し、接合強度が増すとともに、隙間２６へのゴミなどの侵入を、より確実に抑制することができる。
【００２３】
図４に示されているように、このような手摺り部材２の一端と、他の手摺り部材２の他端とを接続し、複数の手摺り部材２、２を繋げることによって、所望の長さの手摺りを構成することができる。長尺の手摺り１を、短い手摺り部材２によって分割して構成することによって、運搬時には複数の手摺り部材２に分割して手摺り１の嵩を小さくし、取扱いを容易にすることができる。
【００２４】
この実施形態の手摺り１では、連結する複数の手摺り部材のうち、両端の手摺り部材４については、直角に屈曲した手摺り本体部４１を有する構成となっている。手摺り本体部４１は、屈曲した中実の円柱部材であって、両端面には挿入穴４３、４３が形成され、両端外周面には、先端へ向けて径が漸減するテーパー雄ネジ部４２、４２が形成されている。そして、各テーパー雄ネジ部４２、４２には、外周面から挿入穴４３の内壁に達し、かつ軸方向に形成されたスリット４２１が形成されており、周方向に等間隔で複数個（図示の例では３個）配置されている。このような構成において、一方の挿入穴４３には、手摺り１を構成する手摺り部材２の挿入部２３２が挿入され、接続部材３によって、接合が規定される。
【００２５】
他方の挿入穴４３には、取り付け部材５の挿入部５２が挿入される。取り付け部材５は、円盤状の取り付け部５１と、取り付け部５１の中央に立設された挿入部５２とを有しており、取り付け部５１には、厚さ方向に形成された取付孔５３が、周方向に等間隔で配置されている。取付孔５３には、木ネジ等が挿通し、建物の壁等に固定される。取り付け部材５の挿入部５２と挿入穴４３の接合部分には、接合部材３が外嵌されており、接合部材３によって挿入穴４３に挿入部５２が締着固定されている。
【００２６】
接合部材３は、隣接する手摺り部材２、２を接続する作用を有する他、手摺り１において所望の間隔で配置され、手摺り１を握った際の滑り止めとしても機能する。すなわち、手摺り１の軸方向に等間隔で、接続部材３が配置されることで、手摺り部材２の外表面から若干隆起した凸部が設けられ、手摺り１を握る際の滑り止めとして機能させることができる。また、図５に示されているように、例えば、手摺り部材２を１つ部材で構成した場合には、接合部材６を本体６０のみで構成し、接合部材６の内側接続部６１に手摺り部材２を貫通させ、任意の位置に任意の数の接合部材６を外装することで、滑り止めとしての接合部材６を所望の間隔で配置することができる。
【００２７】
接続部材３の締着ナット３２には、図６に示されているように、外側から樹脂を充填できるように充填孔３２２を設けてもよい。充填孔３２２の一端は締着ナット３２の外側面に開口し、他端は、テーパー雌ネジ部３２１内に開口する。このような充填孔３２２に樹脂を充填することで、テーパー雄ネジ部４２とテーパー雌ネジ部３２１との間に樹脂を充填し、締着状態で締着ナット３２が容易に緩まない構成とすることができる。
なお、端部で突き合わされる手摺り部材２、２は、お互いの軸線が合致するように接続されて、接合部材３により締着固定されるが、軸線を中心とした回転位置は、お互いに自由に調整できる。即ち、隣接する手摺り部材２、２の間で連続する模様や形状が、外周面に施されている場合、その模様や形状が接続位置で合致するように、回転位置を調整させることができる。
【００２８】
例えば、図７に示されているように、手摺り部材２Ａの片側に、波状の凹凸を設け、手のひらで、把持する際の軸方向の滑りを抑制する形状とした場合、中央の接合部材３で接続される２本の手摺り部材２Ａ、２Ａとの間で、波状の凹凸の凸部２０Ａの向きを合致させる必要がある。図示の例では、図８に示されているように、指が掛かる壁側に凹凸を設け、凸部２０Ａが壁に向かって突出するように配置されている。
【００２９】
先行特許文献１のように、手摺り部材の接合部をネジで構成すると、手摺り全長の調整の為に、ネジの接合を調整することによって、接合されている２つ手摺り部材２Ａ、２Ａの相対的な回転位置関係が不一致となる。つまり、一方は正規の位置Ｍ１となるが、他方は壁に向かない方向Ｍ２となる、といった不都合が発生する。この発明では、接合部材３によって接合部が締着される構成であるため、軸線に対する相互の回転位置は、いずれもＭ１の位置に合致するように調整することが可能となる。
このように、手摺り部材２の断面形状が、丸以外の、楕円等であっても、軸線を中心とした回転姿勢を、各手摺り部材について各一致させることが可能となる。
【符号の説明】
【００３０】
１  手摺り
２、４  手摺り部材
２１  手摺り本体部
２２  補強部材
２２１  挿入穴
２３  挿入部材
２３１  基端嵌入部
２３２  挿入部
２４  テーパー雄ネジ部
２４１  スリット
２６  隙間
３  接合部材
３１  本体
３１１ａ、３１１ｂ  接続部
３１２  ナット収容部
３２  締着ナット
３２１  テーパー雌ネジ部
４１  本体部
４２  テーパー雄ネジ部
４２１  スリット
４３  挿入穴
５  取付部材
５１  取り付け部
５２  挿入部
５３  取付孔
【図１】
2020002546.tif 000003
【図２】
2020002546.tif 000004
【図３】
2020002546.tif 000005
【図４】
2020002546.tif 000006
【図５】
2020002546.tif 000007
【図６】
2020002546.tif 000008
【図７】
2020002546.tif 000009
【図８】
2020002546.tif 000010